(57)【要約】【課題】比較的簡素な手段で、キャリッジに対してインクカートリッジを精度良く保持でき、インク吐出口列の傾きによる記録ヘッドのずれに起因する画像劣化の生じない高精細記録を可能とする。【解決手段】キャリッジ取り付け時の位置決めに用いられるＹ方向突き当て部３１が、記録素子基板２４ａ，２４ｂを支持する支持基板である第１のプレート２２に設けられている。【選択図】図５
2010046853.tif 000002
【特許請求の範囲】
【請求項１】
記録媒体の搬送方向である第一方向と交差する第二方向に移動するキャリッジを備えたインクジェット記録装置の、当該キャリッジに保持されるインクジェット記録ヘッドであり、前記記録媒体に液滴を吐出する記録素子基板と、該記録素子基板を支持する支持基板とを含むインクジェット記録ヘッドであって、
前記キャリッジに前記インクジェット記録ヘッドを取り付けるときの前記第一方向の位置決めに用いられる第一方向突き当て部を有し、
該第一方向突き当て部が前記支持基板に設けられており、該第一方向突き当て部の、前記キャリッジへの装着軌跡の前方側の端面に凹状の段差を有していることを特徴とするインクジェット記録ヘッド。
【請求項２】
前記記録素子基板は、前記第一方向突き当て部を基準にして前記支持基板に設けられていることを特徴とする請求項１に記載のインクジェット記録ヘッド。
【請求項３】
前記支持基板がセラミック焼結体からなることを特徴とする請求項１又は２に記載のインクジェット記録ヘッド。
【請求項４】
前記支持基板がアルミナからなることを特徴とする請求項１乃至３のいずれかに記載のインクジェット記録ヘッド。
【発明の詳細な説明】
【技術分野】
【０００１】
本発明は、記録装置本体に対して保持され、インクを吐出して記録を行うインクジェット記録ヘッドに関するものである。
【背景技術】
【０００２】
複写装置や、ワードプロセッサ、コンピュータ等の情報処理機器、さらには通信機器の普及に伴い、それらの機器の画像記録（プリント）のための出力装置の一つとして、インクジェット方式により記録を行うインクジェット記録装置がある。インクジェット記録装置は、記録手段であるインクジェット記録ヘッドのコンパクト化が容易であり、高精細な画像を高速で記録することができるという利点を有している。また、普通紙にも特別の処理を必要とせずに記録することができるためにランニングコストが低く、またノンインパクト方式であるために騒音が少なく、さらに複数色調（色、濃度）のインクを使用することでカラー画像の記録も容易であるなどの利点もある。
【０００３】
このインクジェット記録装置における代表的なインク吐出方式としては、電気熱変換素子を用いた方式がある。この方式は、電気熱変換素子の発生する熱によって気泡を発生させ、気泡発生時に生じる圧力を利用して微小な吐出口から微少な液滴を吐出させて、記録媒体に対し記録を行うものである。一般に、液滴を形成するためのインクジェット記録ヘッドと、このヘッドに対してインクを供給する供給系とから構成される。
【０００４】
電気熱変換素子を用いたインクジェット記録ヘッドは、電気熱変換素子を記録液室内に設けている。これに記録信号となる電気パルスを与えることにより記録液に熱エネルギーを与え、その時の記録液の相変化時、すなわち記録液の発泡時（沸騰時）の気泡圧力を記録液滴の吐出に利用している。
【０００５】
従来のインクジェット記録ヘッドの構成例としては、例えば、特許文献１に開示された方法がある。
【０００６】
これら従来のインクジェット記録ヘッドの構成例を図６、図７、図８に示す。図７は、記録ヘッド本体部とインク保持供給系とを有するインクジェット記録ヘッド（記録ヘッドカートリッジと呼ぶ。）を示しており、図７（ａ）は全体の斜視図、図７（ｂ）はインクタンクを外した状態の斜視図を示している。図６は、この記録ヘッドカートリッジの記録ヘッド部の分解斜視図を示している。図８は、この記録ヘッドカートリッジの記録ヘッド部の下部平面図を示している。
【０００７】
この記録ヘッドカートリッジは、インクを貯蔵するインクタンク６１と、このインクタンク６１から供給されるインクを記録情報に応じてノズルから吐出する記録素子基板が搭載された記録ヘッド本体部６０とを有している。記録装置本体のキャリッジに対して着脱可能に搭載される、いわゆるカートリッジ方式を採ったものとなっている。
【０００８】
この記録ヘッドカートリッジは、インクタンク６１として、例えば、ブラック、シアン、マゼンタ、およびイエローの各色独立のインクタンクが備えられている。これらのインクタンクは、図７（ｂ）に示すように、それぞれが記録ヘッド本体部６０に対して独立して着脱自在となるように装着されている。
【０００９】
記録ヘッド本体部は、図６に示すように、インクタンク６１から記録ヘッド本体部６０にインクを供給するインク供給ユニット４０と、インクを吐出するための複数の記録素子基板を備えた記録素子ユニット５０を有している。
【００１０】
インク供給ユニット４０は、インク供給部材、インク供給フィルター、シールゴム、流路部材から構成されている。インク供給部材のインクタンク６１のインク供給口との係合部に、係合部からのインクの蒸発を防止するシールゴムと、外部からのごみの進入を防止するフィルターとが取り付けられている。インク供給部材の記録素子ユニット側には、インク流路につながるインク供給路を形成する流路部材が取り付けられている。
【００１１】
また、記録素子ユニット５０は、流路部材のインク供給路に連通するインク供給口が形成された第１のプレートを有しており、その一表面上には、記録素子基板が接着固定されている。記録素子基板５４には、インクを吐出するための複数の記録素子と、各記録素子に電力を供給するＡｌなどからなる電気配線とがＳｉ基板の片面に成膜技術により形成されている。さらにこの片面上には、記録素子に対応した複数のインク流路と複数の吐出口とがフォトリソ技術により形成されている。その裏面には、インク流路にインクを供給するためのインク供給口が開口されており、記録素子基板は、このインク供給口が第１のプレート５４のインク供給口と連通するように固定されている。さらに、第１のプレート５４の下面には、電気配線テープ５１が記録素子基板に対して電気的に接続されるように固定されている。この電気配線テープ５１は、記録素子基板にインクを吐出するための電気信号を印可するものであり、記録素子基板に対応する電気配線を備えている。この電気配テープ５１の端部には、本体からの電気信号を受け取るための外部信号入力端子を備えた電気コンタクト基板５３が接続されている。電気コンタクト基板５３は、インク供給部材の背面側に位置決め固定される。これら、記録素子基板、第１のプレート、電気配線テープおよび電気コンタクト基板から記録素子ユニット部が構成されている。
【００１２】
図８に示すように、インク供給ユニット４０には、記録ヘッドカートリッジをインクジェット記録装置本体のキャリッジに装着するための構造が形成されている。キャリッジの対応部に当接させて、記録ヘッドカートリッジを所定の装着位置に位置決めするための突き当て基準として、Ｙ方向（記録媒体搬送方向）の突き当て部７１がインク供給部材の下面に形成されている。記録素子ユニット５０とインク供給ユニット４０とは、記録素子ユニットの第１のプレートの端面に設けられた２個所のＹ方向基準面を、インク供給部材に設けられたキャリッジへのＹ方向突き当て部と同一面上に当接することで、Ｙ方向に位置決め固定されている。
【００１３】
そして、前述のインク供給ユニット部４０と記録素子ユニット部５０とをそれぞれのインク供給路同士を連通させるように行う構成として、２つの部分の間に、接続させるインク供給路に対応した孔を有する弾性部材であるジョイントシール部材４１を挟んで、インク供給ユニット４０のビス止めボス部４２と記録素子ユニット５０のビス止め固定部５５をビス５２を用いて圧接させることで、それぞれのインク供給路が連通し、封止され、かつ記録素子ユニット部５０が固定されるように結合されている。
【特許文献１】特開２００２−２０９０９４号公報
【発明の開示】
【発明が解決しようとする課題】
【００１４】
近年では、インクジェット記録方式の普及に伴い、記録動作の一層の高精細化および高速化が要望されている。そのため、インクジェット記録ヘッドとしては多数の吐出口を高密度に配列してなるものが用いられている。またカラー記録が可能なインクジェット記録装置では、インクジェット記録ヘッドとして複数の吐出口配列を設けたものが用いられている。
【００１５】
また、インクジェット記録ヘッドから吐出されて記録媒体に付着したインク滴は、記録媒体上で広がってドットを形成し、そのドットの集合体として画像が記録される。1つのドットの面積はインク滴の大きさ、すなわちインク吐出量に大きく依存する。そして、インクジェット方式を用いて高精細で銀塩写真に匹敵する高画質記録を実現するためには、インクジェット記録ヘッドから吐出するインクをできるだけ微細化する傾向にある。
【００１６】
ところで、背景技術に述べた記録ヘッドカートリッジのようなインクジェット記録ヘッドは、キャリッジを介して記録装置のガイドシャフトに対し、位置決めされ、主走査（移動）が行われる。各吐出口列が主走査に対し正確に垂直なっている状態を想定して画像を生成し印字を行う。しかし実際には、インクジェット記録ヘッドやキャリッジは製造上のばらつきを持っている場合があるので、吐出口列がガイドシャフトに対して、完全な垂直でない状態となっていることがある。
【００１７】
この想定と実際のずれ（傾き）によって、本来のドット配置を行うことが出来ず、結果としてパス間のバンドムラといった画像劣化を引き起こす可能性がある。特に前述したようにインク吐出量を微細化していくと１つのドットの面積が小さくなり、従来の同等の傾きであっても、エリアファクターの変化が大きくなり、より画像劣化が目立ちやすくなる傾向にある。
【００１８】
そのため、インクジェット記録ヘッドにおいても、従来以上に、キャリッジとの位置決め部に対してインク吐出口列をより高い精度で保持する必要がある。そのためには、キャリッジに対して吐出口列がなるべく垂直になるよう、インクジェット記録ヘッドも高い精度で製造されることが要求される。
【００１９】
一方で、インクジェット方式を用いて高精細で銀塩写真に匹敵する高画質記録を実現するためは、色再現範囲をより広げる努力がなされている。近年の高画質プリンタは、従来のブラック、シアン、マゼンタ、イエローにとどまらず、フォトブラック、グレーなどのモノクロインク、または、グリーン、レッドなどの特色インクなど数多くのインク種を搭載する傾向にある。このため、記録ヘッド本体部とインクタンクをキャリッジに積載したいわゆるオンキャリッジタイプのプリンタでは、多数のインクタンクを記録ヘッド本体部に連結するために記録ヘッド本体部が大型になる傾向にある。
【００２０】
樹脂部材でなる記録ヘッド本体部のインク供給ユニットは大型化することで強度が低下する。そのため、従来のインク供給ユニットとキャリッジとの位置決めでは、装着時のインク供給部材に設けたＹ方向突き当て部の変形や、インク供給ユニットと記録素子ユニットの結合精度が結合時の変形で維持できず、傾き精度の確保が今まで以上に難しくなっている。
【００２１】
すなわち、ドットの微細化にともなう傾き精度向上の要求がある一方で、多色化にともなうヘッドの大型化で強度が低下する傾向にあり、従来の方法では精度の確保が難しくなっている。
【００２２】
本発明は以上の問題に鑑み、比較的簡素な手段で、インク吐出口列を記録装置本体の主走査方向に対し垂直に精度良く保持でき、吐出口列の傾きに起因する画像劣化の生じない高精細記録を可能とすることを目的とする。
【課題を解決するための手段】
【００２３】
本発明は、記録媒体の搬送方向である第一方向と交差する第二方向に移動するキャリッジを備えたインクジェット記録装置の、当該キャリッジに保持されるインクジェット記録ヘッドであり、前記記録媒体に液滴を吐出する記録素子基板と、該記録素子基板を支持する支持基板とを含むインクジェット記録ヘッドである。
【００２４】
そして、上記目的を達成するために、本発明の一態様によるインクジェット記録ヘッドは、前記キャリッジに前記インクジェット記録ヘッドを取り付けるときの前記第一方向の位置決めに用いられる第一方向突き当て部を有する。そして、該第一方向突き当て部が前記支持基板に設けられており、該第一方向突き当て部の、前記キャリッジへの装着軌跡の前方側の端面に凹状の段差が設けられている。
【発明の効果】
【００２５】
本発明によれば、比較的簡素な手段で、インク吐出口列を記録装置本体の主走査方向に対し垂直に精度良く保持することができ、吐出口列の傾きに起因する画像劣化の生じない高精細記録が可能となる。
【発明を実施するための最良の形態】
【００２６】
以下、図面を参照して本発明の実施の形態について詳細に説明する。
【００２７】
図１から図５は、本発明が実施または適用される好適なインクジェット記録ヘッドを説明するための説明図である。以下、これらの図面を参照して各構成要素について説明する。
【００２８】
本実施形態のインクジェット記録ヘッド（記録ヘッドカートリッジ）は、インクジェット記録装置本体のキャリッジ３４（図４）に、位置決め手段によって位置決めされ、電気的接点の接触により電気的に接続され固定支持されて載置されるとともに、キャリッジに対して着脱可能となっている。さらにインクタンクがインクジェット記録ヘッドに着脱自在に取り付けられている。このインクジェット記録ヘッドは、６個のインクタンクが搭載され、マットブラック、フォトブラック、シアン、マゼンタ、イエロー、グレーのインク用のインクタンクが設けられている。これらのインクタンクはそれぞれがインクジェット記録ヘッドに対して独立して着脱自在であり、それぞれ個別に交換可能となっている。このような構成とすることにより、インクタンクを適宜交換して、インクを無駄無く使用できるので、インクジェット記録装置の印刷のランニングコストを低く抑えることができる。
【００２９】
次に、インクジェット記録ヘッドに関して、それを構成しているそれぞれの構成要素毎にさらに詳しく順を追って説明する。
（１）記録ヘッド本体部
記録ヘッド本体部は、電気信号に応じてインクに対して膜沸騰を生じさせるための熱エネルギーを生成する電気熱変換体を用いたバブルジェット（登録商標）方式を採用している。また、電気熱変換体とインク吐出口とが対向するように配置された、いわゆるサイドシュータ型である。
【００３０】
記録ヘッド本体部は、図１の分解斜視図に示すように、記録素子ユニット２０とインク供給ユニット１０から構成されている。
【００３１】
さらに、図２に示すように、記録素子ユニット２０は、第１の記録素子基板２４ａ、第２の記録素子基板２４ｂ、第１のプレート２２、電気配線テープ（電気配線基板）２６、電気コンタクト基板２５、第２のプレート２３で構成されている。また、インク供給ユニット１０は、インク供給部材１５、流路形成部材１６、ジョイントシール部材１１、フィルター１３、シールゴム１４から構成されている。
【００３２】
（１−１）記録素子ユニット
第１のプレート２２は、記録素子基板２４ａ，２４ｂを支持する支持基板である、例えば、厚さ２〜６ｍｍのアルミナ（Ａｌ2Ｏ3）材料で形成されている。第１のプレート２２には、インク供給口として、第１の記録素子基板２４ａに１種類のインクを供給するためのものと第２の記録素子基板２４ｂに他の５種類のインクを供給するためのものとが形成されている。また、両側部には、インク供給ユニット１０との接続用のビス止め部が形成されている。
【００３３】
第１の記録素子基板２４ａには、例えば、厚さ０．５〜１ｍｍのＳｉ基板に、インク流路である長溝状の貫通口であるインク供給口が１列形成されている。インク供給口を挟んだ両側には、電気熱変換素子がそれぞれ１列ずつ並べて配置されて形成されており、さらに電気熱変換素子に電力を供給するＡｌなどからなる不図示の電気配線が形成されている。これら電気熱変換素子と電気配線とは成膜技術により形成されている。
【００３４】
電気熱変換素子は、各列千鳥状に配列されて、すなわち各列の吐出口の位置が、その並び列方向に直交する方向に並ばないように少しずれて配置されている。さらに、この電気配線に電力を供給するための電極部が電気熱変換素子の両外側の側辺に沿って配列して形成されており、電極部上にはＡｕなどからなるバンプが形成されている。
【００３５】
そして、Ｓｉ基板上の、これらが形成された面上には、電気熱変換素子に対応したインク流路を形成するインク流路壁とその上方を覆う天井部とを有し、天井部に吐出口が開口された、樹脂材料からなる構造体がフォトリソ技術によって形成されている。吐出口は、電気熱変換素子に対向して設けられており、吐出口群を形成している。この第１の記録素子において、インク流路から供給されたインクは各電気熱変換素子の発熱によって発生した気泡の圧力によって、各電気熱変換素子に対向する吐出口から吐出される。１色あたり５１２個の吐出口を備え、吐出量は２０〜４０ｐｌである。
【００３６】
第２の記録素子基板２４ｂも、第１の記録素子基板２４ａと同様の構成であるが、第１の記録素子基板２４ａと異なる点としては、インク供給口が５列形成されており、１色あたり５１２個から１５３６個の吐出口を備え、吐出量は１〜１０ｐｌである。
【００３７】
記録素子基板２４は、そのそれぞれのインク供給口が第１のプレート２２のインク供給口にそれぞれ連通するように接続され、かつ、それぞれが、第１のプレート２２に対して精度良く位置するように接着固定される。この接着に用いられる第１の接着剤は、低粘度で硬化温度が低く、短時間で硬化し、硬化後比較的高い硬度を有し、かつ、耐インク性のあるものが望ましい。例えば、第１の接着剤としては、エポキシ樹脂を主成分とした熱硬化接着剤が用いられ、その際の接着層の厚みは５０μｍ以下が望ましい。
【００３８】
第２のプレート２３は、例えば、厚さ０．５〜１ｍｍの一枚の板状部材であり、アルミナ（Ａｌ2Ｏ3）で形成されている。そして、第１のプレート２２に接着固定された第１の記録素子基板２４ａと第２の記録素子基板２４ｂとのそれぞれの外形寸法よりも大きな２つの開口部を有する形状となっている。第２のプレート２３は第１のプレート２２に第２の接着剤により接着されている。これによって、電気配線テープ２６を接着した際に、電気配線テープ２６を第１の記録素子基板２４ａおよび第２の記録素子基板２４ｂに接着面平面上で接触して電気接続できるようになっている。
【００３９】
電気配線テープ２６は、第１の記録素子基板２４ａと第２の記録素子基板２４ｂに対してインクを吐出するための電気信号を印加する電気信号経路を形成するものである。電気配線テープ２６には、それぞれの記録素子基板２４に対応する２つの開口部が形成されている。この開口部の縁付近には、それぞれの記録素子基板２４の電極部に接続される電極端子が形成されている。電気配線テープ２６の端部には、電気信号を受け取るための外部信号入力端子を有する電気コンタクト基板２５と電気的接続を行うための電気端子接続部が形成されており、電極端子と電気端子接続部は連続した銅箔の配線パターンでつながっている。
【００４０】
電気配線テープ２６は裏面で第３の接着剤によって第２のプレート２３の下面に接着固定され、さらに、第１のプレート２２の一側面側に折り曲げられ、第１のプレート２２の側面に接着固定されている。第３の接着剤としては、例えば、エポキシ樹脂を主成分とした厚さ１０〜１００μｍの熱硬化接着剤が使用されている。
【００４１】
電気配線テープ２６と第１の記録素子基板２４ａおよび第２の記録素子基板２４ｂとの電気的な接続は、例えば、記録素子基板２４の電極部と電気配線テープ２６の電極端子とを熱超音波圧着法により電気接合させることにより行われている。そして、第１の記録素子基板２４ａおよび第２の記録素子基板２４ｂと電気配線テープ２６との電気接続部分は、第１の封止剤と第２の封止剤によって封止されており、これによって電気接続部分がインクによる腐食や外的衝撃から保護されている。第１の封止剤は、主に電気配線テープ２６の電極端子と記録素子基板２４の電極部との接続部の裏側からの封止と記録素子基板２４の外周部分の封止とに用いられており、第２の封止剤は、接続部の表側からの封止に用いられている。
【００４２】
電気配線テープ２６の端部には、電気コンタクト基板２５が異方性導電フィルムなどを用いて熱圧着して電気的に接続されている。電気コンタクト基板２５には、位置決め用の端子位置決め穴と、固定用の端子結合穴とが形成されている。
【００４３】
（１−２）インク供給ユニット
図２に示すように、インク供給部材１５は、インクタンクから記録素子ユニット２０にインクを導くためのインク供給ユニット１０の一構成部品である。インク供給部１５は、例えば、樹脂成形により形成されている。インク供給部材１５の、インクタンクの収容部の底部には、インクタンクのインク供給口部分に当接されるジョイント部が設けられている。ここには、外部からのゴミの進入を防ぐためのフィルター１３が溶着により接合されており、さらに、ジョイント部からのインクの蒸発を防止するために、シールゴム１４が装着されている。インク供給部材１５内には、ジョイント部の、インクタンクとの接触面から下面に延びるインク流路が形成されている。
【００４４】
インク供給部材１５の底面には、記録素子ユニット２０にインクを供給するインク導入口が開口された流路形成部材１６が、インク導入口とインク供給部材１５のインク流路とが連通するように位置決めされ、超音波溶着により取り付けられている。
【００４５】
（１−３）記録素子ユニットとインク供給ユニットとの結合
図３は、本発明の記録素子ユニット２０とインク供給ユニット１０をビス締め固定した後の状態を示す斜視図である。記録素子ユニット２０とインク供給ユニット１０とは、第１のプレート２２のインク供給口と、流路形成部材１５のインク導入口とに対応する位置に穴が設けられたジョイントシール部材１１を間に挟み圧接固定して２つのビスにより締結されている。
【００４６】
ジョイントシール部材１１はゴムなどの、圧縮永久ひずみが少ない弾性材料から作られており、これを間に挟んで圧接させることで、インク供給口とインク導入口とをインクリークが発生しないように良好に連通させることができる。
【００４７】
（１−４）キャリッジへの装着
図４に示すとおり、インクジェット記録ヘッドはインクジェット記録装置本体のキャリッジ３４に装着される。インク供給ユニット１０および記録素子ユニット２０には、インクジェット記録ヘッドをインクジェット記録装置本体のキャリッジ３４に装着するための構造が形成されている。すなわち、インク供給部１５には、キャリッジ３４の対応部に当接されることで、インクジェット記録ヘッドをキャリッジ３４の装着位置に案内するための装着ガイドが設けられている。また、インク供給ユニット１０の上部には、本体側のヘッドセットレバー３３に当接されて、インクジェット記録ヘッドをキャリッジ３４に装着固定するための係合部が設けられている。
【００４８】
傾きによるエリアファクターの変化に伴うバンドムラ等の画像劣化を抑制するためには、プリンタの主走査方向（記録媒体の搬送方向である第一方向と交差する第二方向）に対して垂直にインク吐出口列を精度良く配置する必要がある。インクジェット記録ヘッドとしては、キャリッジの対応部に当接させて、インクジェット記録ヘッドを所定の装着位置に位置決めするためのＹ方向（上記の第一方向）の突き当て基準と、インク吐出口列すなわち記録素子基板を垂直に精度良く位置決め固定することが求められる。
【００４９】
従来例のインクジェット記録ヘッドでは、インク供給ユニット１０を構成するインク供給部材１５にＹ方向の突き当て基準を設けていた。インク供給部材１５は樹脂のため強度が確保できず自身が変形したり、また記録素子ユニット２０とインク供給ユニット１０をビスにて結合する際にズレが発生する可能性があった。
【００５０】
これに対し、本実施形態においては、図５（ａ）に示したとおり、記録素子ユニット２０を構成する記録素子基板２４を支持する支持基板である第１のプレート２２にキャリッジへのＹ方向突き当て部３１（第一方向突き当て部）を設けた。記録素子基板２４は、支持基板である第１のプレート２２に対し、画像処理によりキャリッジへの装着に使用するＹ方向突き当て部３１に対してほぼ直交するよう精度良く積載されている。
【００５１】
記録素子基板２４を積載する際の画像処理の基準には、キャリッジへ装着する際の基準でもあるＹ方向突き当て部を用いているため、高精度な基板の積載精度がそのままキャリッジに対する吐出口列の精度となる。また、インク供給部材１５の変形やインク供給ユニット１０と記録素子ユニット２０の結合精度の影響を受けることないため、従来の方法に対してＹ方向の突き当て基準に対しインク吐出口列を高い精度で構成することができる。
【００５２】
また、第１のプレート２２はセラミックの焼結体、本実施例においてはアルミナ（Ａｌ２Ｏ３）からなり、樹脂と比較して剛性が極めて高いため、キャリッジへの装着力など外力により変形することがなく、高い精度が確保できる。ここで、本実施形態では、樹脂製のキャリッジを用いた。キャリッジの重量を軽減し、主走査動作を行いやすくするためである。
【００５３】
このため、樹脂のキャリッジに対して、本実施形態ではＹ方向突き当てに強度の高いセラミックのアルミナを用いたため、装着の際にキャリッジの対応部が削れることが懸念される。図５（ｂ）は図５（ａ）の矢印方向の側面図であり、キャリッジの対応部に対するＹ方向突き当て部３１の装着軌跡を示している。そこで、キャリッジ装着の軌跡においてヘッドのＹ方向突き当て部３１がキャリッジを削ることのないよう、Ｙ方向突き当て部３１の下面側（装着軌跡の前方側の端面）に凹状の段差３２を設けて端部の干渉が起きないようにした。このため、Ｙ方向突き当て部３１がセラミックであっても、キャリッジを削ることなく精度良く装着することが可能となる。
【００５４】
以上説明したように、本実施形態によれば、キャリッジへの取付け時の位置決めに用いられるＹ方向突き当て部を記録素子基板を支持する支持基板に設けることで、インク供給部材のＹ方向突き当て部の変形の影響が抑えられる。また、インク供給ユニットと記録素子ユニットとの組付け精度の影響による傾きの発生が抑えられる。そのため、走査方向に対するインク吐出口列の精度が向上する。また、支持基板がアルミナなどのセラミック焼結体からなるため、外力による変形の影響も排除できる。また、装着時にセラミックの突き当て部が樹脂製のキャリッジを削る懸念に対しては、突き当て部の下面凹状の段差によって回転軌跡での干渉を回避することができる。
【００５５】
以上によって、キャリッジに対し、記録ヘッドが精度よく保持され、吐出口列の傾きにともなうドット形成位置ずれに起因したムラ等の画像劣化を抑制することができる。
【図面の簡単な説明】
【００５６】
【図１】本発明の実施例のインクジェット記録ヘッドの分解斜視図である。
【図２】図１のインクジェット記録ヘッドのさらに細かく分解した分解斜視図である。
【図３】図１のインクジェット記録ヘッドのインク供給ユニットと記録素子ユニットを結合した状態を示す斜視図である。
【図４】本発明の実施例のプリンタ本体とインクジェット記録ヘッドの関係を示す斜視図である。
【図５】図５（ａ）は図１のインクジェット記録ヘッドの下面平面図、図５（ｂ）は図１のインクジェット記録ヘッドのキャリッジへの装着軌跡を示す側面図である。
【図６】従来例のインクジェット記録ヘッドの分解斜視図である。
【図７】従来例のインクジェット記録ヘッドの斜視図であり、図７（ａ）はインクタンクを装着した状態、図７（ｂ）はインクタンクを外した状態を示している。
【図８】従来例のインクジェット記録ヘッドの下面平面図である。
【符号の説明】
【００５７】
２２  第１のプレート
２３  第２のプレート
２４ａ，２４ｂ  記録素子基板
３１  Ｙ方向突き当て部
３２  Ｙ方向突き当て部の凹状段差
３４  キャリッジ
７０  記録ヘッドカートリッジ
【図１】
2010046853.tif 000003
【図２】
2010046853.tif 000004
【図３】
2010046853.tif 000005
【図４】
2010046853.tif 000006
【図５】
2010046853.tif 000007
【図６】
2010046853.tif 000008
【図７】
2010046853.tif 000009
【図８】
2010046853.tif 000010